(57)【要約】      （修正有）【課題】放熱効果及び安全性の高い高出力密度の電源供給器のパワーモジュールとフィルターの統合構造を提供する。【解決手段】高出力密度の電源供給器のパワーモジュールとフィルターの統合構造は、電源供給器１００のシャーシ内にパワーモジュール１０３及び放熱ファン１０４が設置され、放熱ファンの下に第一フィルター回路板１０５が設置され、放熱ファンの上の逆側に第二フィルター回路板が裏側を上にして設置される。第二フィルター回路板の裏側には複数のクッションが設置され、完全に第二フィルター回路板を覆う絶縁板がクッションに設置される。絶縁板はシャーシと第二フィルター回路を隔離絶縁し、第二フィルター回路板と蓋との直接接触及びショートを防止し、電源供給器の安全性を高める。【選択図】図４
0003229187.tif 000002
【実用新案登録請求の範囲】
【請求項１】
高出力密度の電源供給器のパワーモジュールとフィルターの統合構造であり、
前記電源供給器はシャーシを有し、
前記シャーシの上に蓋があり、
前記シャーシ内にパワーモジュールを設置され、
前記パワーモジュールの前に放熱ファンを設置され、
前記放熱ファンの下に第一フィルター回路板を設置され、
また前記放熱ファンの上の逆側に第二フィルター回路板を設置され、裏側を上に向き、
特徴は：
複数のクッションが設けられ、前記クッションは別々で前記第二フィルター回路板の裏側に設置され、
絶縁板は前記クッションに設置され、前記絶縁板は完全に前記第二フィルター回路板を覆い、
前記クッションで前記絶縁板と第二フィルター回路板の間で適切な距離を保つ。
【請求項２】
請求項１に記載の高出力密度の電源供給器のパワーモジュールとフィルターの統合構造において、
前記絶縁板と前記第二フィルター回路板の間で前記放熱ファンの上に絶縁片を設置し、
前記第二フィルター回路板、前記絶縁片及び前記絶縁板はボルトで前記放熱ファンに共同固定される。
【請求項３】
請求項１に記載の高出力密度の電源供給器のパワーモジュールとフィルターの統合構造において、
前記第二フィルター回路板及び前記絶縁板は長方形であり、前記第二フィルター回路板の隅角に前記クッションが貼り付けられる。
【請求項４】
請求項１に記載の高出力密度の電源供給器のパワーモジュールとフィルターの統合構造において、
前記クッションはベークライト素材である。
【考案の詳細な説明】
【技術分野】
【０００１】
本考案は電源供給器に関し、特に高出力密度の電源供給器のパワーモジュールとフィルターの統合構造の改善項に関する。
【背景技術】
【０００２】
一般に電源供給器は、パワースイッチパーツ(パワートランジスター、パワーダイオード等)、電気エネルギー貯蔵及びフィルターパーツ(インダクター、キャパシター、変圧器、チョーク等)、検知及びコントロールパーツからなる。これにより、検知及びコントロールパーツにより、パワースイッチパーツを制御し、電圧或いは電流を、調整(切り換え及び整流)し、電気エネルギー貯蔵とフィルターパーツにより、電気エネルギー転換に必要なフィルターと一時的な蓄電を提供する。しかし、パワーの転換期間には、電源供給の一部のエネルギーは熱エネルギーに転換され、熱エネルギーの多くは、パワートランジスターに集中する。
【０００３】
工業級レベルの電源供給器の必要数は極めて莫大で、各電源供給器は、それぞれラックを通してキャビネットに設置される。
同時に、一般企業は、各電源供給器及びサーバーをコンピューター室に集中させ管理の便を図る。各電源供給器及びサーバーは、24時間休むことなく作動するため、電源供給器の放熱は特に重要である。管理の便と省スペースのため、一般のラック式パワーコンバーターのシャーシのサイズは通常は、汎用的な工業標準を採用する。その幅は19インチに固定され、高さはUを単位(1U=1.75インチ=44.45ミリ)とする。通常は1U、2U或いは3U等いつくかの標準のシャーシがある。一般的には、電源供給器は、その内部に、パワースイッチパーツ、電気エネルギー貯蔵及びフィルターパーツ、検知及びコントロールパーツ等を有する必要があり、さらに比較的大きな放熱条件が必要なため、しばしば3Uのシャーシなどの空間が比較的大きなシャーシを採用する必要がある。
【０００４】
しかし、上述の電源供給器のインプット電圧は通常は、220V或いは380Vに制限されており、180~460Vに適用される汎用型電源の電源供給器を開発している業者もある。但し、それが必要な電子パーツは、さらに多く、体積はさらに大きいため、必要な放熱条件はさらに高い。よって、しばしば放熱不良を招く。その原因は、やはりシャーシ空間が狭小であることで、電子パーツがファンの風力を遮蔽してしまい、スムーズな熱の流れるルートを提供することができないことにある。これにより、後方に設置される各パワートランジスターの放熱が不良となり、電源供給器の過熱による作動停止、故障が起きやすいという欠点がある。
【０００５】
これにより、上述の欠点を観察した上に、日本国特許第6633722号を提出した。図１及び図２に示す通り、前記電源供給器２００は、金属のシャーシ２０１があり、前記シャーシ２０１の上に金属の蓋２０２を被り、シャーシ２０１の中に複数の放熱ファン２１０を設置され、前記シャーシ２０１の中にある放熱ファン２１０の両側に第一フィルター回路板２２０及びパワーモジュール２３０を設置される。前記第一フィルター回路板２２０の上で第一フィルター２２１を設置される。前記放熱ファン２１０上の逆側に第二フィルター回路板２４０を設置され、絶縁片２５０で前記放熱ファン２１０の上に固定される。前記第二フィルター回路板２４０の下に第二フィルター２４１を設置される。これにより、前記第一フィルター２２１と前記第二フィルター２４１はお互い錯綜に放熱ファン２１０の下で設置された為、放熱ファン２１０上と下の空間を充分に利用でき、良好な熱流束の道を高められる。前記放熱ファン２１０が有効にパワーモジュール２３０に放熱させ、パワーが高いシャーシ２０１の中も良好な放熱効果を達成できる。
【０００６】
しかし、前記第二フィルター２４１は接合件２４２で前記第二フィルター回路板２４０の上に溶接した為、前記第二フィルター回路板２４０の裏側で部分突き出す接合件２４２を形成する。突き出す接合件２４２は上に向く為、前記電源供給器２００の蓋２０２と予想距離があるが、蓋２０２を押せば、蓋２０２を凹ませる可能性があり、突き出す接合件２４２と接触しショートになり、前記電源供給器２００に壊させ、爆発の可能性もある。これにより、本考案を創作した。
【考案の概要】
【０００７】
本考案の目的はハイパワー電源供給器パワーモジュールとフィルターの構造整合改善である。電源供給器の蓋と第二フィルターの突き出す接合件とショート形成を避けられ、前記電源供給器の使用安全性を高める。
【０００８】
前記の目的を達成するため、本考案からハイパワー電源供給器パワーモジュールとフィルターの構造整合改善を提供する。前記電源供給器はシャーシを設置される。前記シャーシの前側にスクリーンを設置され、前記シャーシ内前記スクリーンと垂直に一個以上のパワーモジュールを設置される。毎パワーモジュールの前側に放熱ファンを設置され、前記放熱ファンの下に第一フィルター回路板を設置される。前記放熱ファンの上に前記第一フィルター回路板と接触する第二フィルター回路板を設置される。その特徴は：複数のクッションがあり、前記クッションは別々で前記第二フィルター回路板の裏側に設置される。絶縁片は前記クッションに設置され、前記絶縁片は完全に前記第二フィルター回路板を被り上に設置される。
【０００９】
本考案から提供するハイパワー電源供給器パワーモジュールとフィルターは構造整合改善である。前記絶縁片は完全に前記第二フィルター回路板を被り上に設置される為、前記シャーシの蓋を押せば、前記絶縁片は前記蓋と前記第二フィルター回路板の間で隔離絶縁の作用をできる。前記第二フィルター回路板は前記蓋と直接接触しショートになることを避けられ、前記電源供給器の使用安全性を高める。
【図面の簡単な説明】
【００１０】
【図１】第6633722号によるシャーシ内部パワーモジュールの立体図。
【図２】第6633722号による側面断面図。
【図３】本考案の最適実施例による電源供給器の立体図。
【図４】本考案の最適実施例によるシャーシ内部パワーモジュールの立体図。
【図５】本考案の最適実施例によるパワーモジュールの立体図。
【図６】本考案の最適実施例によるパワーモジュールの部分分解図。
【図７】本考案の最適実施例によるパワーモジュールの側面断面図。
【図８】本考案による図７の部分拡大図。
【考案を実施するための形態】
【００１１】
本考案の最適実施例による電源供給器の立体図、本考案の最適実施例によるシャーシ内部パワーモジュールの立体図、本考案の最適実施例によるパワーモジュールの立体図及び本考案の最適実施例によるパワーモジュールの部分分解図である図３、図４、図５及び図６に示す通り、前記電源供給器１００はシャーシ１０１を設置される。前記シャーシ１０１の前側にスクリーン１０２を設置され、前記シャーシ１０１内に前記スクリーン１０２と垂直方向で複数のパワーモジュール１０３を設置される。毎パワーモジュール１０３の前側に放熱ファン１０４を設置される。前記放熱ファン１０４の下に第一フィルター回路板１０５を設置され、前記第一フィルター回路板１０５の上に上向きで第一フィルター１０６を設置される。また前記放熱ファン１０４の上に別々に逆側で前記第一フィルター回路板１０５と電気接続の第二フィルター回路板１０７を設置され、前記第二フィルター回路板１０７の裏側を上に向き、下に第二フィルター１０８を設置される。前記第二フィルター回路板１０７で複数の固定穴１０９を設置され、本考案の改善ポイントは下記である：
【００１２】
絶縁片１０、前記絶縁片１０は別々で前記固定穴１０９に対応する位置で複数の取り付け孔１１を設置される。前記絶縁片１０は前記第二フィルター回路板１０７で設置される。
【００１３】
複数のクッション３０は、ベークライト素材であり、前記クッション３０は別々で第二フィルター回路板１０７の裏側に設置される。本考案では、前記第二フィルター回路板１０７は長方形であり、前記クッション３０は別々で第二フィルター回路板１０７で四つの隅角で貼られる。
【００１４】
絶縁板２０は、前記クッション３０で設置され、前記絶縁板２０も長方形であり、完全に第二フィルター回路板１０７を被れる。前記絶縁板２０は取り付け孔１１に対応する位置で複数の螺合固定孔２１を設置される。前記絶縁板２０は複数のボルト２２で別々に前記螺合固定孔２１、取り付け孔１１及び前記固定穴１０９を通じ、前記絶縁板２０、前記絶縁片１０及び前記第二フィルター回路板１０７を全て前記放熱ファン１０４で固定される。前記絶縁片１０に絶縁板２０と第二フィルター回路板１０７の間で固定させる。
【００１５】
本考案の構造特徴、運用技術及び予想効果を更に了解する為、本考案の使用方法を述べる。これにより、本考案をもっと深い認識をできると考える：
【００１６】
本考案の最適実施例によるパワーモジュールの側面断面図及び本考案による図７の部分拡大図である図７及び図８に示す通り、本考案は前記絶縁片１０で前記第二フィルター回路板１０７と前記絶縁板２０の間で距離２３を形成し、前記第二フィルター１０８で突き出す接合件１０８１と前記シャーシ１０１の蓋１０１１直接接触しショートになることを避けられる。また、前記絶縁板２０は前記第二フィルター１０７の上に被る為、前記シャーシ１０１の蓋１０１１を押し、蓋１０１１を変形させる際に、前記絶縁板２０は前記シャーシ１０１の蓋１０１１と前記第二フィルター回路板１０７との間で隔離絶縁でき、前記第二フィルター１０８突き出す接合件１０８１と前記シャーシ１０１の蓋１０１１接触しショートになることを避けられ、前記電源供給器１００の使用安全性を高める。
【００１７】
前記第二フィルター回路板１０７の角で前記クッション３０を設置される為、前記第二フィルター回路板１０７と前記絶縁板２０との距離２３を強化でき。前記第二フィルター１０８突き出す接合件１０８１は安定に前記絶縁板２０と距離を保てる。前記第二フィルター１０８突き出す接合件１０８１が前記絶縁板２０を突き破り前記シャーシ１０１の蓋１０１１と接触しショートになることを避けられ、前記電源供給器の安全性を高める。
【００１８】
前記明細書の掲載及び指導により、本考案を所属する技術人員は上記実施方法を変更及び修正を行えるので、前記した本考案の実施形態は本考案を限定するものではなく、よって、本考案により保護される範囲は実用新案登録請求の範囲を基準とする。
【符号の説明】
【００１９】
［前案］
２００  電源供給器
２０１  シャーシ
２０２  蓋
２１０  放熱ファン
２２０  第一フィルター回路板
２２１  第一フィルター
２３０  パワーモジュール
２４０  第二フィルター回路板
２４１  第二フィルター
２４２  接合件
２５０  絶縁片
［本考案］
１００  電源供給器
１０１    シャーシ
１０１１  蓋
１０２  スクリーン
１０３  パワーモジュール
１０４  放熱ファン
１０５  第一フィルター回路板
１０６  第一フィルター
１０７  第二フィルター回路板
１０８  第二フィルター
１０８１  接合件
１０９  固定穴
１０  絶縁片
１１  取り付け孔
２０  絶縁板
２１  螺合固定孔
２２  ボルト
２３  距離
３０  クッション
【図１】
0003229187.tif 000003
【図２】
0003229187.tif 000004
【図３】
0003229187.tif 000005
【図４】
0003229187.tif 000006
【図５】
0003229187.tif 000007
【図６】
0003229187.tif 000008
【図７】
0003229187.tif 000009
【図８】
0003229187.tif 000010
【手続補正書】
【提出日】令和2年8月25日(2020.8.25)
【手続補正１】
【補正対象書類名】実用新案登録請求の範囲
【補正対象項目名】全文
【補正方法】変更
【補正の内容】
【実用新案登録請求の範囲】
【請求項１】
高出力密度の電源供給器のパワーモジュールとフィルターの統合構造であり、
前記電源供給器はシャーシを有し、
前記シャーシの上に蓋があり、
前記シャーシ内にパワーモジュールが設置され、
前記パワーモジュールの前に放熱ファンが設置され、
前記放熱ファンの下に第一フィルター回路板が設置され、
前記放熱ファンの上に第二フィルター回路板が設置され、前記第二フィルター回路板の裏側が上に向いており、
さらに、
複数のクッションが設けられ、前記クッションは別々で前記第二フィルター回路板の裏側に設置され、
絶縁板が前記クッションに設置され、前記絶縁板は完全に前記第二フィルター回路板を覆い、
前記クッションで前記絶縁板と第二フィルター回路板との間で適切な距離を保つ
ことを特徴とする電源供給器のパワーモジュールとフィルターの統合構造。
【請求項２】
請求項１に記載の電源供給器のパワーモジュールとフィルターの統合構造において、
前記絶縁板と前記第二フィルター回路板との間で前記放熱ファンの上に絶縁片を設置し、
前記第二フィルター回路板、前記絶縁片及び前記絶縁板はボルトで前記放熱ファンに共同固定されている
ことを特徴とする電源供給器のパワーモジュールとフィルターの統合構造。
【請求項３】
請求項１に記載の電源供給器のパワーモジュールとフィルターの統合構造において、
前記第二フィルター回路板及び前記絶縁板は長方形であり、前記第二フィルター回路板の隅角に前記クッションが貼り付けられている
ことを特徴とする電源供給器のパワーモジュールとフィルターの統合構造。
【請求項４】
請求項１に記載の電源供給器のパワーモジュールとフィルターの統合構造において、
前記クッションはベークライト素材である
ことを特徴とする電源供給器のパワーモジュールとフィルターの統合構造。